(57)【要約】小児または新生児患者に使用してもよい下敷き型対流加温ブランケットが、頭部を備える。この頭部は、複数の実質的にＵ字状のチャンネルを有するように構成されている。これらＵ字状のチャンネルの各々は、孔の互いに隣接する複数の列を持つ。これら孔列は、ブランケットの上に載せられている患者の頭を囲む。またこれら孔列は、ブランケットの上側層に設けられている。ブランケットが膨らまされた時に孔が実質的に患者の頭を向くように、これら孔列はブランケットの基面または患者の頭に対して方位付けあるいは角度付けされている。この結果、孔から出る加熱された空気が実質的に患者の頭へと向かい、これにより患者の頭を包む加熱された空気による目に見えないドームが形成される。
2013514859.tif 000002
【特許請求の範囲】
【請求項１】
患者を支える対流ブランケットであり、
上側層と、底側層と、少なくとも１つの入口ポートとを備え、
前記上側層は患者の胴を支えるためのものであり、
前記底側層はその外縁において前記上側層に接続され、
前記上側層と前記底側層は前記外縁から離れた互いに異なる部分において選択的に接合されて膨らませることが可能な構造を形成し、前記上側層と前記底側層の接合されていない部分が膨らませることが可能なポケットを形成し、
前記入口ポートは前記構造に設けられ、温度処理された空気が前記入口ポートを介して前記構造の中へと供給可能であり、
前記構造は頭部を有するように構成され、前記頭部は膨らませることが可能でないヘッド部を含み、患者が前記構造の前記上側層の上に位置する時に患者の頭が前記ヘッド部に載り、
患者が前記上側層の上に位置する時に患者の頭の上部、左側部、および右側部に隣接する３つの側部において前記ヘッド部は実質的にＵ字状のチャンネルにより囲まれ、前記Ｕ字状チャンネルは孔の少なくとも１本の列を有し、前記孔の列は患者の頭の上部、左側部、および右側部にごく接近しており、
前記構造が膨らまされた際に前記構造に入れられた温度処理された空気が前記孔から出て実質的に患者の頭へと向かうように前記列における孔が患者の頭に対して位置設定されている対流ブランケット。
【請求項２】
前記頭部がさらに他の少なくとも２つの膨らませることが可能チャンネルを備え、前記他のチャンネルは患者の頭の左側と右側に位置し、前記他のチャンネルは前記構造の対応する接合部分により前記Ｕ字状チャンネルの左側部と右側部から分けられており、前記構造が膨らまされた際に温度処理された空気を実質的に患者の頭に向けて出すために、孔の少なくとも１本の第２の列が前記他のチャンネルの各々に設けられている請求項１に記載の対流ブランケット。
【請求項３】
さらに第３のチャンネルが設けられ、前記第３のチャンネルは別の接合部分により前記Ｕ字状チャンネルの上部から分けられており、前記第３のチャンネルは前記構造が膨らまされた際に温度処理された空気を実質的に患者の頭の上部に向けて出すための孔の少なくとも１本の列を有する請求項１に記載の対流ブランケット。
【請求項４】
さらに患者の頭の上方に位置する前記第３のチャンネルと前記構造の外縁との間に第４のチャンネルを備え、前記第４のチャンネルは前記構造が膨らまされた際に温度処理された空気を実質的に患者の頭の上部に向けて出すための孔の少なくとも１本の列を有する請求項３に記載の対流ブランケット。
【請求項５】
前記Ｕ字状チャンネルを囲む部分において前記頭部が孔の少なくとも１本のＵ字状列を備え、前記構造が膨らまされた際に前記Ｕ字状孔列が温度処理された空気を実質的に患者の頭に向けて出す請求項１に記載の対流ブランケット。
【請求項６】
前記頭部において前記Ｕ字状チャンネルが孔の複数のＵ字状列に囲まれており、前記構造が膨らまされた際に前記Ｕ字状チャンネルにおける前記孔列と前記複数のＵ字状孔列が温度処理された空気により患者の頭が実質的に包まれるように温度処理された空気を出す請求項１に記載の対流ブランケット。
【請求項７】
さらに他の入口ポートを備え、前記１つの入口ポートと前記他の入口ポートが前記構造の前記頭部の右側部と左側部に位置する請求項１に記載の対流ブランケット。
【請求項８】
さらに少なくとも１つの掛け布を備え、前記掛け布が前記構造の前記頭部における外縁の一部に取り付けられており、患者の頭の周囲に温度処理された空気を保持するために前記掛け布は患者の頭の上へと折ることができる請求項１に記載の対流ブランケット。
【請求項９】
患者が前記上側層に載っている時に患者のほぼ肩の位置となる場所に前記構造の長さ方向に直行する孔の少なくとも１本の列をさらに備える請求項１に記載の対流ブランケット。
【請求項１０】
さらに前記構造の胴部に膨らませることが可能でないボディー部を備え、前記膨らませることが可能でないボディー部に患者の胴と脚が置かれ、前記構造の前記胴部に沿って前記構造の足端から延びる複数の縦チャンネルを設け、温度処理された空気を出すために前記縦チャンネルの足端の各々に近接して複数の孔を設けた請求項１に記載の対流ブランケット。
【請求項１１】
上側層と底側層を備える対流ブランケットであり、
前記上側層と前記底側層がそれらの外縁において接合されて膨らませることが可能な構造を形成し、前記上側層と前記底側層が互いに異なる部分において選択的に接合されて前記構造に選択的に膨らませることが可能なポケットを形成し、前記構造の前記上側層がその上に位置する患者を支え、
前記構造が頭部と胴部を有するように構成され、前記頭部が膨らませることが可能でないヘッド部を含み、患者が前記上側層の上に位置する時に患者の頭が前記ヘッド部に載り、
患者が前記構造の前記上側層の上に位置する時に患者の頭の上部、左側部、および右側部に隣接する３つの側部において前記ヘッド部は実質的にＵ字状のチャンネルにより囲まれ、前記Ｕ字状チャンネルが孔の複数の列により画定され、
前記構造が膨らまされた際に前記構造に入れられた温度処理された空気が前記孔から実質的に患者の頭へと向かって出るように前記Ｕ字状チャンネルにおける前記列の孔が患者の頭に対して位置設定されている対流ブランケット。
【請求項１２】
前記頭部がさらに他の少なくとも２つの膨らませることが可能チャンネルを備え、前記他のチャンネルは患者の頭の左側と右側に位置し、前記他のチャンネルは前記構造の対応する接合部分により前記Ｕ字状チャンネルの左側部と右側部から分けられており、前記構造が膨らまされた際に温度処理された空気を実質的に患者の頭に向けて出すために、孔の複数本の第２の列が前記他のチャンネルの各々に設けられている請求項１１に記載の対流ブランケット。
【請求項１３】
さらに第３のチャンネルが設けられ、前記第３のチャンネルは別の接合部分により前記Ｕ字状チャンネルの上部から分けられており、前記第３のチャンネルは前記構造が膨らまされた際に温度処理された空気を実質的に患者の頭の上部に向けて出すための孔の複数本の第３の列を有する請求項１１に記載の対流ブランケット。
【請求項１４】
さらに患者の頭の上方に位置する前記第３のチャンネルと前記構造の外縁との間に第４のチャンネルを備え、前記第４のチャンネルは前記構造が膨らまされた際に温度処理された空気を実質的に患者の頭の上部に向けて出すための孔の複数本の第４の列を有する請求項１３に記載の対流ブランケット。
【請求項１５】
さらに前記胴部に孔の少なくとも１本の列を備え、患者が前記上側層に載っている時に患者のほぼ肩の位置となる場所に前記構造の長さ方向に直行する２つの不連続部分に前記少なくとも１本の孔列が分割されている請求項１１に記載の対流ブランケット。
【請求項１６】
さらに前記構造の胴部に膨らませることが可能でないボディー部を備え、前記膨らませることが可能でないボディー部に患者の胴と脚が置かれ、前記構造の前記胴部に沿って前記構造の足端から延びる少なくとも１対の縦チャンネルを設け、前記膨らませることが可能でないボディー部が前記１対の縦チャンネルにより挟まれている請求項１１に記載の対流ブランケット。
【請求項１７】
上側層と底側層を備える対流ブランケットであり、
前記上側層と前記底側層がそれらの外縁において接合されて膨らませることが可能な構造を形成し、前記上側層と前記底側層が互いに異なる部分において選択的に接合されて前記構造に選択的に膨らませることが可能なポケットを形成し、前記構造の前記上側層がその上に位置する患者を支え、
前記構造が頭部と胴部を有するように構成され、前記頭部が膨らませることが可能でないヘッド部を含み、
患者が前記上側層の上に位置する時に患者の頭が前記ヘッド部に載り、患者が前記上側層の上に位置する時に患者の頭の上部、左側部、および右側部に隣接する３つの側部において前記ヘッド部は互いに離れた実質的にＵ字状の２つのチャンネルにより囲まれ、前記Ｕ字状チャンネルの各々が孔の少なくとも１本の列により画定され、
前記構造が膨らまされた際に前記構造に入れられた温度処理された空気が前記孔から実質的に患者の頭へと向かって出るように前記Ｕ字状チャンネルにおける前記列の孔が患者の頭に対して位置設定されている対流ブランケット。
【請求項１８】
前記Ｕ字状チャンネルの各々が、前記構造が膨らまされた際に温度処理された空気を実質的に患者の頭に向けて出すための孔の複数本の列を備える請求項１７に記載の対流ブランケット。
【請求項１９】
さらに２つの入口ポートを備え、前記入口ポートが前記構造の前記頭部の右側部と左側部に位置する請求項１７に記載の対流ブランケット。
【請求項２０】
さらに少なくとも１つの掛け布を備え、前記掛け布が前記構造の前記頭部における外縁の一部に取り付けられており、患者の頭の周囲に温度処理された空気を保持するために前記掛け布は患者の頭の上へと折ることができる請求項１７に記載の対流ブランケット。
【請求項２１】
前記胴部が主胴部と２つの膨らませることが可能でない部分を備え、前記２つの膨らませることが可能でない部分は前記主胴部から分離可能であり、また前記２つの膨らませることが可能でない部分は前記主胴部の上へと折ることができる請求項１７に記載の対流ブランケット。
【発明の詳細な説明】
【技術分野】
【０００１】
本発明は、保温性ブランケットに関し、より詳しくは小児または新生児患者用の膨らませることが可能な対流下敷き保温ブランケットに関する。
【背景技術】
【０００２】
多くの場合、外科的処置において小児や新生児患者の体温を維持することは難しい。その理由は、患者の頭を介して多量の熱が患者から逃げてしまうからである。しばしば小児患者に対する外科的処置では、患者の胴への制限されないアクセスが必要である。
【発明の概要】
【課題を解決するための手段】
【０００３】
本発明の下敷き型対流保温ブランケットは、主として小児や新生児患者用であり、ブランケットから出る加熱された空気を患者の頭へと集中するように構成される。そのため、ブランケットは頭部と胴部に分けられている。頭部は、実質的にＵ字状のチャンネルを持つように構成される。Ｕ字状のチャンネルは、穴または孔の複数の列を含む。チャンネルが膨らまされた時に、ブランケット内に供給された温度処理された空気、例えば加熱された空気が孔を通して出て、実質的に患者の頭へと向かうように、これら孔列は位置設定されている。第２の実質的にＵ字状のチャンネルがブランケット頭部に設けられていて、上記第１のＵ字状のチャンネルを囲んでいる。第２のＵ字状のチャンネルは、孔の複数の列を有していてもよい。ブランケットが膨らまされた時に、孔から出る温度処理された空気が患者の頭に向かうように、第２のＵ字状のチャンネルにおける孔列が位置設定されている。これらＵ字状のチャンネルの各々が患者の頭を囲んでいるので、患者がブランケットに載せられている時にこれらＵ字状のチャンネルから出る温度処理された空気は実質的に患者の頭の上部、左側部、および右側部へと向かう。それゆえに、目に見えない温かい空気のドームが患者の頭を包み、これにより患者の頭からの熱損失が完全ではないかもしれないが相殺され、患者の頭が温かく保たれる。
【０００４】
患者の頭が温かい空気により包まれることをさらに保証するために、ブランケット頭部の各側部に掛け布を取り付けてもよい。患者が保育されている間、患者の頭を覆うようにこれら掛け布を折ってもよい。この場合、実質的にＵ字状のチャンネルから出る加熱された空気は、患者の頭の周りに閉じ込められる。
【０００５】
本発明の対流加温ブランケットは、胴部を持つ。この胴部は、膨らませることが可能でないボディー部を含む。少なくとも患者の胴をこのボディー部に載せてもよい。縦チャンネルの少なくとも１対が膨らませることが可能でないボディー部を挟んでおり、その結果ブランケット上に患者が相対的に固定される。ブランケット頭部のすぐ下の位置において、ブランケットの長さ方向に直交する孔の互いに隣接する複数の列をブランケット胴部に設けてもよい。これらの孔は、患者の肩と上胴を温めるために、温度処理された空気を出す。
【０００６】
下記の図面と連係した本発明の以下の説明により、本発明がより明らかとなり、また本発明が最も良く理解される。
【図面の簡単な説明】
【０００７】
【図１】図１は、本発明の対流保温ブランケットの上面図である。
【図２】図２は、図１における２−２線に沿ったブランケットの断面図である。
【図３】図３は、本発明の別の実施例におけるブランケットを示していて、そこでは明確化のために患者がブランケットに載せられている。
【発明を実施するための形態】
【０００８】
図１に示される対流式加温熱ブランケット２は、頭部４と胴部６を有する。頭部４と胴部６は、おおよそ接合部８により仕切られている。図２に示されるように、ブランケット２は、上方または上側シートもしくは層１０と、底側または下方シートもしくは層１２を備える。シート１０と１２は、従来から知られているように、不透気性であり、ポリプロピレンスパンボンド白色不織押し出し塗工材から形成されている。四辺のすべての外縁１４において上側シート１０は下方シート１２に接合され、膨らませることが可能な構造を形成する。シート１０と１２は前記接合部８などの互いに異なる他の部分においても選択的に接合され、シートの非接合部分が複数のポケットを形成している。温度処理された空気、例えば加熱された空気がブランケットの構造に入れられる時に、これらポケットは膨らませることが可能である。例としての膨らまされたポケットが、図２の断面図において、符号１６により示されている。
【０００９】
ブランケット２の頭部４に、膨らませることが可能でないヘッド部１８が存在する。このヘッド部１８は、その側部の３つにごく接近した、実質的にＵ字状のチャンネル（開口路または通路）２０により囲まれている。図１に示されるように、チャンネル２０は、孔２２ａ（２２ａ′、２２ａ″、および２２ａ′′′より成る）、２２ｂ（２２ｂ′、２２ｂ″、および２２ｂ′′′）、ならびに２２ｃ（２２ｃ′、２２ｃ″、および２２ｃ′′′）の互いに隣接する複数の列により形成される。これらの孔列は、膨らませることが可能でないヘッド部１８に隣接して配置されている。図１の上面図に示されるように、孔または穴２２ａ′、２２ａ″、および２２ａ′′′は上側シート１０に設けられ、あるいはパンチにより上側シート１０にあけられており、孔の連続した列を形成し、これら孔列は膨らませることが可能でないヘッド部１８の左側部、上部、および右側部を囲んでいる。ブランケット２が膨らまされ、かつ患者の頭が膨らませることが可能でないヘッド部１８に置かれた状態で患者がブランケット２の上側シート１０に載せられている時に、実質的に患者の頭部に向くように孔列における孔２２ａはブランケット２の基面もしくは患者の頭部に対して方位付けまたは角度付けされており、これらの孔から出る加熱された空気が実質的に患者の頭の右側部（孔２２ａ′による）、上部（孔２２ａ″による）、および左側部（孔２２ａ′′′による）へと向かう。
【００１０】
図１の実施例のブランケット２において、チャンネル２０の他の２本の孔列を形成する孔２２ｂ（２２ｂ′、２２ｂ″、および２２ｂ′′′）と２２ｃ（２２ｃ′、２２ｃ″、および２２ｃ′′′）は、不連続な部分として示されている。ヘッド部１８の左側における孔２２ｂ′と２２ｃ′の列と、ヘッド部１８の上方における孔２２ｂ″と２２ｃ″の列と、ヘッド部１８の右側における孔２２ｂ′′′と２２ｃ′′′の列とが存在する。列を成す孔２２ａと同様に、列を成す孔２２ｂと２２ｃはヘッド部１８にごく接近して設けられ、チャンネル２０が膨らまされた時に、列を成す孔２２ｂと２２ｃは患者の頭に向くように角度を持って方向付けられ、したがってこれらの孔から出る加熱された空気が患者の頭へと向かう。図１の実施例のブランケット２において、膨らませることが可能なチャンネル２０は、孔２２ａ（２２ａ′乃至２２ａ′′′）、２２ｂ（２２ｂ′乃至２２ｂ′′′）、および２２ｃ（２２ｃ′乃至２２ｃ′′′）が成す３本の実質的にＵ字状の列により画定されてもよい。またチャンネル２０は、実質的に接合部２４、２６、および２８による範囲内に存在する。
【００１１】
ブランケット２の頭部４は、さらに他の２つの膨らませることが可能なチャンネル（開口路または通路）３０と３２を含む。チャンネル３０は接合部２４と接合部３４の間に画成されており、チャンネル３２は接合部２８と接合部３６の間に画成されている。チャンネル３０とチャンネル３２の各々に、複数の孔列が存在する。すなわち、チャンネル３０には孔３０ａ、３０ｂ、および３０ｃの列が存在し、チャンネル３２には孔３２ａ、３２ｂ、および３２ｃの列が存在する。チャンネル３０における孔３０ａ、３０ｂ、および３０ｃは、接合部２４に近接して配置されている。一方、チャンネル３２における孔３２ａ、３２ｂ、および３２ｃは、接合部２８に近接して配置されている。これらの孔は上側層１０に形成され、次のように構成される。ブランケット２の構造が膨らまされている時に、チャンネル３０における孔３０ａ、３０ｂ、および３０ｃは実質的に患者の頭に向き、したがってこれらの孔から出る加熱された空気が図２の矢印３８の方向に沿って実質的に患者の頭へと向かうように、孔３０ａ、３０ｂ、および３０ｃの列はブランケット２の基面もしくは患者の頭部に対して方位付けられている。ブランケット２が膨らまされている時のチャンネル３２における孔３２ａ、３２ｂ、および３２ｃの列に関しても、ブランケット２もしくは患者の頭部に対する方位付けは、上記と同じである。すなわち、チャンネル３２が膨らまされている時に、孔３２ａ、３２ｂ、および３２ｃは実質的に患者の頭に向き、したがってこれらの孔から出る空気が矢印４０の方向に沿って実質的に患者の頭へと向かうようになっている。
【００１２】
頭部４は、他の膨らませることが可能なチャンネル（開口路または通路）４２を有する。チャンネル４２は、孔４２ａ、４２ｂ、および４２ｃが成す複数の列を含む。図１の実施例のブランケット２において、チャンネル４２は接合部２６によりチャンネル２０から分けられている。他の膨らませることが可能なチャンネルにおける孔列と同様に、孔４２ａ、４２ｂ、および４２ｃの列は上側シート１０にパンチによりあけられており、次の作用を行うように構成されている。チャンネル４２が膨らまされた時に、孔４２ａ、４２ｂ、および４２ｃから出る空気が膨らませることが可能でないヘッド部１８に置かれた患者の頭に向かう。
【００１３】
図１におけるブランケット２の頭部４の上部にさらに別のチャンネル（開口路または通路）４６が設けられていて、このチャンネル４６は外縁１４と接合部４４の間に画成されている。上記の孔と同様にチャンネル４６の２本の列を成す孔４６ａと４６ｂも上側シート１０にパンチによりあけられており、また接合部４４に十分に近接していて、次の作用を行うように構成されている。ブランケット２の基面もしくは患者の頭部に対する孔４６ａと４６ｂの列の方位設定の結果、チャンネル４６が膨らまされた時に、孔４６ａと４６ｂの列が実質的に患者の頭に向き、したがってこれらの孔から出る加熱された空気が膨らまされていないヘッド部１８に置かれた患者の頭に実質的に向かう。
【００１４】
加熱された空気などの温度処理された空気が、ブランケット２の構造を膨らませるために入口４８を介して入れられる。これを実行するために、図示しないホースを入口４８に接続し、従来から知られている空気加温器、例えば本発明の譲受人が製造する加温器ＥＱＵＡＴＯＲ（登録商標）から加熱された空気を供給する。
【００１５】
ブランケット２の頭部４は、接合部８により胴部４から分けられている。その結果、ブランケット２の頭部４により形成されるブランケット２の構造内へと入れられた空気の主たる部分は、ブランケット２の頭部４の全体にわたって流れる。接合部８が完全にはブランケット２の左縁と右縁に達していないので、加熱された空気はブランケット２の胴部６へも流れてゆき、膨らませることが可能なチャンネル（通路）５０、５２、５４、５６、５８、および６０を膨らませる。なお、これらのチャンネル５０、５２、５４、５６、５８、および６０は、ブランケット２の縦軸に沿って延びている。
【００１６】
胴部６は、膨らまされない部分６４を有する。小児または新生児患者の胴と足を、この部分６４に載せてもよい。ブランケット２の足端部の位置において、チャンネル５０、５２、５４、５６、５８、および６０に複数の孔５０ａ、５２ａ、５４ａ、５６ａ、５８ａ、および６０ａの組がそれぞれ設けられ、空気をブランケット２から逃がすようになっている。これにより、チャンネル５０、５２、５４、５６、５８、および６０が膨らまされ、そして温められる。ブランケット２の上に載せられた患者の肩と上胴部へと空気を出すために、接合部８に隣接する位置においてブランケット２の胴部６に少なくとも１本の不連続な列を成す孔６４ａと６４ｂが設けられている。
【００１７】
図３は、本発明の別の実施例におけるブランケット６６を示す。図示されるように、ブランケット６６も頭部４と胴部６を有し、上側層と底側層から構成されている。外縁ならびに選択された接合部において上側層は底側層に接合され、小児または新生児患者などの患者６８を支持するための膨らませることが可能な構造を形成する。
【００１８】
ブランケット６６の頭部４は、Ｕ字状のチャンネル（開口路または通路）７０を有する。このチャンネル７０は、互いに近接する複数の孔列から構成されている。図３に示される例としてのブランケット６６では、互いに近接する４本の孔列が設けられている。これら４本の孔列は、患者６８の頭が載せられる膨らませることが可能でない部分（図３において患者の頭により遮られた部分）にごく接近し、そしてこの部分を囲んでいる。図３の実施例のブランケット６６において、これら複数の孔列を膨らませることが可能なチャンネル７０と簡略的に称してもよい。
【００１９】
頭部４は、さらに別の実質的にＵ字状のチャンネル（開口路または通路）７２を有する。このチャンネル７２は、ブランケットの構造の上側層に設けられた複数の孔または穴が成す互いに近接する複数の列の組みにより、形成されている。チャンネル７２の左部と右部は、それぞれ接合部７４と７６により、チャンネル７０の左部と右部から分けられている。ブランケット６６の主部の面または患者の頭に対する、チャンネル７０と７２における複数の穴列の方位は、次の作用を得るように設定されている。ブランケット６６が膨らまされた時に、これら複数の孔が実質的に患者の頭に向き、したがって孔列から出る加熱された空気が実質的に患者の頭へと向かう。具体的には、加熱された空気は、患者の頭の上部、左側部、ならびに右側部へと向かう。
【００２０】
ブランケット６６の左側部と右側部に位置する参照符号７８と８０で示される孔による２本のチャンネル（開口路または通路）が、患者の肩と上胴部へと加熱された空気を出す。孔７８と８０が成す複数の列を胴部６の上端部に配置することで、ブランケット６６の構造内に入れられた加熱された空気の多くが患者の上部に向かって出され、より詳しくは患者の頭に向かって出され、これにより加熱された空気による患者の頭を覆う目に見えないドームが形成維持され、したがって患者の頭を経て患者の熱の多くが逃げてしまう事態は起こらない。
【００２１】
例として図３に示されるブランケット６６は、その頭部４に一対の入口８２と８４を含む。従来から知られているように、入口８２と８４のうちの一方のみが前記の加温器ＥＱＵＡＴＯＲなどの空気加温器のホース（図示せず）との接続に使用され、この一方の入口を経て加熱された空気が入れられて、この温度処理された空気によりブランケット６６が膨らませられるようになっている。
【００２２】
ブランケット６６の胴部６は、膨らませることが可能な２つのチャンネル（通路）８６と８８を有するように構成される。これらのチャンネル８６と８８は、患者の胴が載せられる膨らまされない部分９０を挟む。フラップ９２と９４が、ブランケット６６の上側層と底側層の封止部からチャンネル８６と８８の側部に延びるように形成されている。刻み目または弱体化部９２ａと９４ａにより、フラップ９２と９４の各々はブランケット胴部６の主部（膨らまされない部分９０とチャンネル８６と８８）から分離できるようになっている。分離されたフラップ９２と９４は患者の胴と脚の上へと折ることができ、これにより患者を覆うことができるようになっている。
【００２３】
さらに２枚の掛け布９６と９８が、頭部４の外縁４ａと４ｂにおいて、頭部４の側部にそれぞれ取り付けられている。掛け布９６と９８の各々は患者の頭の上へと折ることができ、これにより例えば患者が保育される際に患者の頭が孔によるチャンネルからでる加熱された空気により覆われることが維持されるようになっている。医療関係者が継続的に患者の頭を監視できるように、掛け布９６と９８を透明プラスチック材から作ってもよい。
【００２４】
以上開示した本発明には多くの変形例、部分的変更例、および細部にわたっての変更例が存在する。例えば、図１のブランケット２はその頭部４に掛け布を有するようには描かれていないが、図３の例としてのブランケット６６における掛け布９６と９８の如くの頭部掛け布を図１のブランケット２の頭部の側部にそれぞれ付加してもよい。また、ブランケット２と６６の各々において孔の詳細な列が示されているが、ブランケット２のチャンネル２０における互いに隣接する３本の図示孔列に代わり、さらに追加孔列を設けたり、あるいはそれよりも少ない本数の孔列を形成してもよい。この構成変更はブランケット２と６６の各々における他の孔列にも適用される。さらに、図１の例としてのブランケット２では１つの入口が示されているが、使い勝手をよくするために、本発明のブランケットに２つの入口を設けてもよい。それゆえに、本発明の範囲は添付請求項の主旨と範囲によってのみ限定され得る。
【図１】
2013514859.tif 000003
【図２】
2013514859.tif 000004
【図３】
2013514859.tif 000005
【国際調査報告】
2013514859.tif 000006
2013514859.tif 000007